(57)【要約】【課題】コンテキストアウェアネス機能を備えるコンピュータ入力装置の操作方法を提供する。【解決手段】コンテキストアウェアネス機能を備えるコンピュータ入力装置の操作方法は、コンピュータシステムの音源制御モジュール１０４からの音源データを検出するステップと、音源データを基に、入力装置１１４を駆動し、対応した発光パターンを生成するステップと、を含む。【選択図】図１
2008293463.tif 000002
【特許請求の範囲】
【請求項１】
コンピュータシステムの音源制御モジュールからの音源データを検出するステップと、
前記音源データを基に、コンピュータ入力装置を駆動し、対応した発光パターンを生成するステップと、
を含むことを特徴とするコンテキストアウェアネス機能を備えるコンピュータ入力装置の操作方法。
【請求項２】
前記コンピュータ入力装置は、キーボード又はマウスを含むことを特徴とする請求項１に記載のコンテキストアウェアネス機能を備えるコンピュータ入力装置の操作方法。
【請求項３】
前記コンピュータ入力装置は、ジョイスティック又はリモートコントローラを含むことを特徴とする請求項１に記載のコンテキストアウェアネス機能を備えるコンピュータ入力装置の操作方法。
【請求項４】
前記音源制御モジュールの前記音源データは、前記コンピュータシステムの中のミキサから供給されることを特徴とする請求項１に記載のコンテキストアウェアネス機能を備えるコンピュータ入力装置の操作方法。
【請求項５】
前記対応した発光パターンは、明暗が交互に繰り返される、次第に明るくなる、次第に暗くなる、又は、２種類若しくは３種類以上の異なる色が交互に繰り返される発光パターンを含むことを特徴とする請求項１に記載のコンテキストアウェアネス機能を備えるコンピュータ入力装置の操作方法。
【請求項６】
コンピュータ入力装置により入力された連続文字を検出するステップと、
前記連続文字の隣接した間隔時間が所定時間よりも短いか、前記連続文字が所定の単語を形成するとき、前記コンピュータ入力装置を駆動し、対応した発光パターンを生成するステップと、
を含むことを特徴とするコンテキストアウェアネス機能を備えるコンピュータ入力装置の操作方法。
【請求項７】
前記コンピュータ入力装置は、キーボード又はマウスを含むことを特徴とする請求項６に記載のコンテキストアウェアネス機能を備えるコンピュータ入力装置の操作方法。
【請求項８】
前記コンピュータ入力装置は、ジョイスティック又はリモートコントローラを含むことを特徴とする請求項６に記載のコンテキストアウェアネス機能を備えるコンピュータ入力装置の操作方法。
【請求項９】
前記対応した発光パターンは、明暗が交互に繰り返される、次第に明るくなる、次第に暗くなる、又は、２種類若しくは３種類以上の異なる色が交互に繰り返される発光パターンを含むことを特徴とする請求項６に記載のコンテキストアウェアネス機能を備えるコンピュータ入力装置の操作方法。
【請求項１０】
コンピュータシステムの中の電子メール・アプリケーション、インスタントメッセージプログラム又は電子メールのメッセージを検出するステップと、
前記メッセージが所定のメッセージの種類に属するとき、コンピュータ入力装置を駆動し、対応した発光パターンを生成するステップと、
を含むことを特徴とするコンテキストアウェアネス機能を備えるコンピュータ入力装置の操作方法。
【請求項１１】
前記コンピュータ入力装置は、キーボード又はマウスを含むことを特徴とする請求項１０に記載のコンテキストアウェアネス機能を備えるコンピュータ入力装置の操作方法。
【請求項１２】
前記コンピュータ入力装置は、ジョイスティック又はリモートコントローラを含むことを特徴とする請求項１０に記載のコンテキストアウェアネス機能を備えるコンピュータ入力装置の操作方法。
【請求項１３】
前記メッセージは、電子メール、テキストメッセージ又は電話の呼び出し音であることを特徴とする請求項１０に記載のコンテキストアウェアネス機能を備えるコンピュータ入力装置の操作方法。
【請求項１４】
前記対応した発光パターンは、明暗が交互に繰り返される、次第に明るくなる、次第に暗くなる、又は、２種類若しくは３種類以上の異なる色が交互に繰り返される発光パターンを含むことを特徴とする請求項１０に記載のコンテキストアウェアネス機能を備えるコンピュータ入力装置の操作方法。
【請求項１５】
コンピュータシステムの中のオペレーティングシステム・スケジューリングモジュール又はアプリケーション・スケジューリングモジュールの活動を検出するステップと、
前記オペレーティングシステム・スケジューリングモジュール又は前記アプリケーション・スケジューリングモジュールがスケジューリングしたイベントを実行するとき、コンピュータ入力装置を駆動し、対応した発光パターンを生成するステップと、
を含むことを特徴とするコンテキストアウェアネス機能を備えるコンピュータ入力装置の操作方法。
【請求項１６】
前記コンピュータ入力装置は、キーボード又はマウスを含むことを特徴とする請求項１５に記載のコンテキストアウェアネス機能を備えるコンピュータ入力装置の操作方法。
【請求項１７】
前記コンピュータ入力装置は、ジョイスティック又はリモートコントローラを含むことを特徴とする請求項１５に記載のコンテキストアウェアネス機能を備えるコンピュータ入力装置の操作方法。
【請求項１８】
前記対応した発光パターンは、明暗が交互に繰り返される、次第に明るくなる、次第に暗くなる、又は、２種類若しくは３種類以上の異なる色が交互に繰り返される発光パターンを含むことを特徴とする請求項１５に記載のコンテキストアウェアネス機能を備えるコンピュータ入力装置の操作方法。
【請求項１９】
コンピュータシステムの中のシステム情報の状態を検出するステップと、
前記システム情報に問題が発生するときに、コンピュータ入力装置を駆動し、対応した発光パターンを生成するステップと、
を含むことを特徴とするコンテキストアウェアネス機能を備えるコンピュータ入力装置の操作方法。
【請求項２０】
前記システム情報は、接続状態、ネットワークの速度、メモリの使用状態、ハードディスクの使用状態を含むことを特徴とする請求項１９に記載のコンテキストアウェアネス機能を備えるコンピュータ入力装置の操作方法。
【請求項２１】
前記コンピュータ入力装置は、キーボード又はマウスを含むことを特徴とする請求項１９に記載のコンテキストアウェアネス機能を備えるコンピュータ入力装置の操作方法。
【請求項２２】
前記コンピュータ入力装置は、ジョイスティック又はリモートコントローラを含むことを特徴とする請求項１９に記載のコンテキストアウェアネス機能を備えるコンピュータ入力装置の操作方法。
【請求項２３】
前記対応した発光パターンは、明暗が交互に繰り返される、次第に明るくなる、次第に暗くなる、又は、２種類若しくは３種類以上の異なる色が交互に繰り返される発光パターンを含むことを特徴とする請求項１９に記載のコンテキストアウェアネス機能を備えるコンピュータ入力装置の操作方法。
【発明の詳細な説明】
【技術分野】
【０００１】
本発明はコンピュータ入力装置の操作方法に関し、特にコンテキストアウェアネス機能を備えるコンピュータ入力装置の操作方法に関する。
【背景技術】
【０００２】
従来のコンピュータの入力装置（例えば、キーボード及びマウス）は、符号の入力やカーソル位置の制御といった簡易なデータ入力機能のみを備えていた。
【０００３】
しかし、入力装置はユーザと機械とのインタフェースの一部であり、ユーザと機械との相互作用上、非常に大きな改良の余地があった。
【発明の開示】
【発明が解決しようとする課題】
【０００４】
本発明の目的は、コンテキストアウェアネス機能を備えたコンピュータ入力装置及びその操作方法を提供することにある。
【課題を解決するための手段】
【０００５】
（１）  コンピュータシステムの音源制御モジュールからの音源データを検出するステップと、前記音源データを基に、コンピュータ入力装置を駆動し、対応した発光パターンを生成するステップと、を含むことを特徴とするコンテキストアウェアネス機能を備えるコンピュータ入力装置の操作方法を提供する。
【０００６】
（２）  前記コンピュータ入力装置は、キーボード又はマウスを含むことを特徴とする（１）に記載のコンテキストアウェアネス機能を備えるコンピュータ入力装置の操作方法を提供する。
【０００７】
（３）  前記コンピュータ入力装置は、ジョイスティック又はリモートコントローラを含むことを特徴とする（１）に記載のコンテキストアウェアネス機能を備えるコンピュータ入力装置の操作方法を提供する。
【０００８】
（４）  前記音源制御モジュールの前記音源データは、前記コンピュータシステムの中のミキサから供給されることを特徴とする（１）に記載のコンテキストアウェアネス機能を備えるコンピュータ入力装置の操作方法を提供する。
【０００９】
（５）  前記対応した発光パターンは、明暗が交互に繰り返される、次第に明るくなる、次第に暗くなる、又は、２種類若しくは３種類以上の異なる色が交互に繰り返される発光パターンを含むことを特徴とする（１）に記載のコンテキストアウェアネス機能を備えるコンピュータ入力装置の操作方法を提供する。
【００１０】
（６）  コンピュータ入力装置により入力された連続文字を検出するステップと、前記連続文字の隣接した間隔時間が所定時間よりも短いか、前記連続文字が所定の単語を形成するとき、前記コンピュータ入力装置を駆動し、対応した発光パターンを生成するステップと、を含むことを特徴とするコンテキストアウェアネス機能を備えるコンピュータ入力装置の操作方法を提供する。
【００１１】
（７）  前記コンピュータ入力装置は、キーボード又はマウスを含むことを特徴とする（６）に記載のコンテキストアウェアネス機能を備えるコンピュータ入力装置の操作方法を提供する。
【００１２】
（８）  前記コンピュータ入力装置は、ジョイスティック又はリモートコントローラを含むことを特徴とする（６）に記載のコンテキストアウェアネス機能を備えるコンピュータ入力装置の操作方法を提供する。
【００１３】
（９）  前記対応した発光パターンは、明暗が交互に繰り返される、次第に明るくなる、次第に暗くなる、又は、２種類若しくは３種類以上の異なる色が交互に繰り返される発光パターンを含むことを特徴とする（６）に記載のコンテキストアウェアネス機能を備えるコンピュータ入力装置の操作方法を提供する。
【００１４】
（１０）  コンピュータシステムの中の電子メール・アプリケーション、インスタントメッセージプログラム又は電子メールのメッセージを検出するステップと、前記メッセージが所定のメッセージの種類に属するとき、コンピュータ入力装置を駆動し、対応した発光パターンを生成するステップと、を含むことを特徴とするコンテキストアウェアネス機能を備えるコンピュータ入力装置の操作方法を提供する。
【００１５】
（１１）  前記コンピュータ入力装置は、キーボード又はマウスを含むことを特徴とする（１０）に記載のコンテキストアウェアネス機能を備えるコンピュータ入力装置の操作方法を提供する。
【００１６】
（１２）  前記コンピュータ入力装置は、ジョイスティック又はリモートコントローラを含むことを特徴とする（１０）に記載のコンテキストアウェアネス機能を備えるコンピュータ入力装置の操作方法を提供する。
【００１７】
（１３）  前記メッセージは、電子メール、テキストメッセージ又は電話の呼び出し音であることを特徴とする（１０）に記載のコンテキストアウェアネス機能を備えるコンピュータ入力装置の操作方法を提供する。
【００１８】
（１４）  前記対応した発光パターンは、明暗が交互に繰り返される、次第に明るくなる、次第に暗くなる、又は、２種類若しくは３種類以上の異なる色が交互に繰り返される発光パターンを含むことを特徴とする（１０）に記載のコンテキストアウェアネス機能を備えるコンピュータ入力装置の操作方法を提供する。
【００１９】
（１５）  コンピュータシステムの中のオペレーティングシステム・スケジューリングモジュール又はアプリケーション・スケジューリングモジュールの活動を検出するステップと、前記オペレーティングシステム・スケジューリングモジュール又は前記アプリケーション・スケジューリングモジュールがスケジューリングしたイベントを実行するとき、コンピュータ入力装置を駆動し、対応した発光パターンを生成するステップと、を含むことを特徴とするコンテキストアウェアネス機能を備えるコンピュータ入力装置の操作方法を提供する。
【００２０】
（１６）  前記コンピュータ入力装置は、キーボード又はマウスを含むことを特徴とする（１５）に記載のコンテキストアウェアネス機能を備えるコンピュータ入力装置の操作方法を提供する。
【００２１】
（１７）  前記コンピュータ入力装置は、ジョイスティック又はリモートコントローラを含むことを特徴とする（１５）に記載のコンテキストアウェアネス機能を備えるコンピュータ入力装置の操作方法を提供する。
【００２２】
（１８）  前記対応した発光パターンは、明暗が交互に繰り返される、次第に明るくなる、次第に暗くなる、又は、２種類若しくは３種類以上の異なる色が交互に繰り返される発光パターンを含むことを特徴とする（１５）に記載のコンテキストアウェアネス機能を備えるコンピュータ入力装置の操作方法を提供する。
【００２３】
（１９）  前記コンピュータシステムの中のシステム情報の状態を検出するステップと、前記システム情報に問題が発生するときに、コンピュータ入力装置を駆動し、対応した発光パターンを生成するステップと、を含むことを特徴とするコンテキストアウェアネス機能を備えるコンピュータ入力装置の操作方法を提供する。
【００２４】
（２０）  前記システム情報は、接続状態、ネットワークの速度、メモリの使用状態、ハードディスクの使用状態を含むことを特徴とする（１９）に記載のコンテキストアウェアネス機能を備えるコンピュータ入力装置の操作方法を提供する。
【００２５】
（２１）  前記コンピュータ入力装置は、キーボード又はマウスを含むことを特徴とする（１９）に記載のコンテキストアウェアネス機能を備えるコンピュータ入力装置の操作方法を提供する。
【００２６】
（２２）  前記コンピュータ入力装置は、ジョイスティック又はリモートコントローラを含むことを特徴とする（１９）に記載のコンテキストアウェアネス機能を備えるコンピュータ入力装置の操作方法を提供する。
【００２７】
（２３）  前記対応した発光パターンは、明暗が交互に繰り返される、次第に明るくなる、次第に暗くなる、又は、２種類若しくは３種類以上の異なる色が交互に繰り返される発光パターンを含むことを特徴とする（１９）に記載のコンテキストアウェアネス機能を備えるコンピュータ入力装置の操作方法を提供する。
【発明の効果】
【００２８】
本発明のコンテキストアウェアネス機能を備えるコンピュータ入力装置の操作方法は、ユーザとキーボードやマウスなどのコンピュータ入力装置との良好な相互作用を得て、入力装置の実用性及び娯楽性を高めることができる。
【発明を実施するための最良の形態】
【００２９】
以下、本発明の実施形態について図面を参照して説明する。
本発明のコンテキストアウェアネス機能を備えたコンピュータ入力装置及びその操作方法は、コンピュータ入力装置が以下の様々なコンテキストアウェアネスの状況に応じ、対応した発光パターンを発生させる。
【００３０】
（第１実施形態）
図１を参照する。図１は、本発明の第１実施形態によるコンテキストアウェアネス機能を備える入力装置を示すブロック図である。第１実施形態では、入力装置（コンピュータ入力装置）１１４（例えば、キーボード、マウス、ジョイスティック又はリモートコントローラ）が様々なコンピュータシステムの中にある音源に応じ、対応した発光パターンが生成される。第１実施形態では、オペレーティングシステム１０１のアーキテクチャ下において、オペレーティングシステム１０１の中の音源制御モジュール１０４がミキサ１０２から供給される信号を受信する。この信号の内容には、ミキサ１０２によりミックスされた後の音声データが含まれ、音源制御モジュール１０４により受信された信号を音源データに変換することにより、駆動モジュール１０６（例えば、駆動プログラム）が音源制御モジュール１０４からの音源データを利用し、入力装置１１４を駆動し、対応した発光パターンを生成させる。この全ての音源（マイク、ＣＤ音源、Ｌｉｎｅ入力、Ａｕｘ入力又はマルチメディア再生プログラムからの音源）は、ミキサ１０２によりミックスされ、増幅器１１０で増幅されてからスピーカ１１２から出力される。ミキサ１０２から音源制御モジュール１０４に伝送された音声データには、一種類、多種類又は全種類の音源信号が含まれてもよい。入力装置１１４は、駆動モジュール１０６を介し、対応した発光パターンを生成させることができる。この発光パターンには、明暗が交互に繰り返される、次第に明るくなる、次第に暗くなる、又は、２種類若しくは３種類以上の異なる色が交互に繰り返されるなどの様々な発光パターンが含まれてもよい。
【００３１】
（第２実施形態）
図２を参照する。図２は、本発明の第２実施形態によるコンテキストアウェアネス機能を備える入力装置を示すブロック図である。第２実施形態において、コンピュータシステム２００の中の駆動モジュール２０２は、コンピュータの入力装置２０４（例えば、キーボード、マウス、ジョイスティック又はリモートコントローラ）により入力された連続文字を検出する。連続文字の隣接する間隔時間（例えば、ｔ１又はｔ２）が所定時間（例えば、０．３秒）よりも短いか、連続文字が所定の単語を構成する（例えば、スペルチェック又は暗号確認を行う）とき、駆動モジュール２０２は、入力装置２０４を駆動し、対応した発光パターンを生成させる。上述の状況は、コンピュータゲームを使用するプレーヤーが連続かつ迅速にキーボードを押し、隣接した文字の間隔時間が所定時間よりも短くなるときによく発生した。対応した発光パターンは、明暗が交互に繰り返される、次第に明るくなる、次第に暗くなる、又は、２種類若しくは３種類以上の異なる色が交互に繰り返される発光パターンでもよい。
【００３２】
（第３実施形態）
図３を参照する。図３は、本発明の第３実施形態によるコンテキストアウェアネス機能を備える入力装置を示すブロック図である。第３実施形態において、駆動モジュール３１０がコンピュータシステム３００の中の電子メール・アプリケーション３０２（例えば、アウトルックエクスプレス、アウトルック又はウインドウズメール）、インスタントメッセージプログラム３０４（例えば、ＭＳＮメッセンジャー、ヤフーメッセンジャー、グーグルトーク又はスカイプ）又は電子メール３０１（例えば、ジーメール、ヤフーメール、ホットメール等のネットワークを介して接続された電子メール）のメッセージ（例えば、電子メール、テキストメッセージ又は電話の呼び出し音）を検出する。電子メール・アプリケーション３０２、インスタントメッセージプログラム３０４又は電子メール３０１のメッセージが所定のメッセージ又はユーザが設定したメッセージの種類に属する場合（例えば、優先順位の高い電子メール、メッセージが着信したことを知らせる通知又は電話の呼び出し音）、駆動モジュール３１０がコンピュータの入力装置３１２（例えば、キーボード、マウス、ジョイスティック又はリモートコントローラ）を駆動し、対応した発光パターンを生成する。対応した発光パターンは、明暗が交互に繰り返される、次第に明るくなる、次第に暗くなる、又は、２種類若しくは３種類以上の異なる色が交互に繰り返される発光パターンでもよい。
【００３３】
（第４実施形態）
図４を参照する。図４は、本発明の第４実施形態によるコンテキストアウェアネス機能を備える入力装置を示すブロック図である。第４実施形態において、駆動モジュール４１２は、コンピュータシステム４００の中のオペレーティングシステム・スケジューリングモジュール４０２（例えば、ウインドウズ（登録商標）のタスクスケジューラ（ｔａｓｋ  ｓｃｈｅｄｕｌｅｒ）又はアプリケーション・スケジューリングモジュール４０４（例えば、アウトルックの予定表又はウインドウズカレンダー（Ｗｉｎｄｏｗｓ（登録商標）  ｃａｌｅｎｄａｒ））によりスケジューリングされた活動を検出する。オペレーティングシステム・スケジューリングモジュール４０２又はアプリケーション・スケジューリングモジュール４０４によりスケジューリングされたイベントを実行するときは、駆動モジュール４１２がコンピュータの入力装置４１４（例えば、キーボード、マウス、ジョイスティック又はリモートコントローラ）を駆動し、対応した発光パターンを生成する。対応した発光パターンには、明暗が交互に繰り返される、次第に明るくなる、次第に暗くなる、又は、２種類若しくは３種類以上の異なる色が交互に繰り返されるなど、様々な発光パターンが含まれてもよい。
【００３４】
（第５実施形態）
図５を参照する。図５は、本発明の第５実施形態によるコンテキストアウェアネス機能を備える入力装置を示すブロック図である。第５実施形態において、コンピュータシステム５００の中のシステム情報（ｓｙｓｔｅｍ  ｉｎｆｏｒｍａｔｉｏｎ）５０１のコンピュータ状態（例えば、ネットワークの速度、接続状態、メモリの使用状態、ハードディスクの使用状態、プロセッサの負荷など）を駆動モジュール５１０により検出する。システム情報５０１の接続状態、ネットワークの速度、メモリの使用状態、ハードディスクの使用状態、プロセッサの負荷などに問題が発生すると（例えば、ネットワークの接続中断、メモリの不足、ハードディスクの容量不足、プロセッサ負荷が大きすぎるなど）、駆動モジュール５１０がコンピュータの入力装置５１２（例えば、キーボード、マウス、ジョイスティック又はリモートコントローラ）を駆動し、対応した発光パターンを生成する。対応した発光パターンは、明暗が交互に繰り返される、次第に明るくなる、次第に暗くなる、又は、２種類若しくは３種類以上の異なる色が交互に繰り返されるなど、様々な発光パターンでもよい。
【００３５】
当該分野の技術を熟知するものが理解できるように、本発明の好適な実施の形態を前述の通り開示したが、これらは決して本発明を限定するものではない。本発明の主旨と範囲を脱しない範囲内で各種の変更や修正を加えることができる。従って、本発明の特許請求の範囲は、このような変更や修正を含めて広く解釈されるべきである。
【図面の簡単な説明】
【００３６】
【図１】本発明の第１実施形態によるコンテキストアウェアネス機能を備える入力装置を示すブロック図である。
【図２】本発明の第２実施形態によるコンテキストアウェアネス機能を備える入力装置を示すブロック図である。
【図３】本発明の第３実施形態によるコンテキストアウェアネス機能を備える入力装置を示すブロック図である。
【図４】本発明の第４実施形態によるコンテキストアウェアネス機能を備える入力装置を示すブロック図である。
【図５】本発明の第５実施形態によるコンテキストアウェアネス機能を備える入力装置を示すブロック図である。
【符号の説明】
【００３７】
１００  コンピュータ装置
１０１  オペレーティングシステム
１０２  ミキサ
１０４  音源制御モジュール
１０６  駆動モジュール
１０８  マルチメディア再生プログラム
１１０  増幅器
１１２  スピーカ
１１４  入力装置
２００  コンピュータシステム
２０２  駆動モジュール
２０４  入力装置
３００  コンピュータシステム
３０１  電子メール
３０２  電子メール・アプリケーション
３０４  インスタントメッセージプログラム
３１０  駆動モジュール
３１２  入力装置
４００  コンピュータシステム
４０２  オペレーティングシステム・スケジューリングモジュール
４０４  アプリケーション・スケジューリングモジュール
４１２  駆動モジュール
４１４  入力装置
５００  コンピュータシステム
５０１  システム情報
５１０  駆動モジュール
５１２  入力装置
【図１】
2008293463.tif 000003
【図２】
2008293463.tif 000004
【図３】
2008293463.tif 000005
【図４】
2008293463.tif 000006
【図５】
2008293463.tif 000007